(57)【要約】【課題】排気管が車両の側方に偏在して配置される場合であっても、排気ガスセンサが保護される自動二輪車の排気ガスセンサ配置構造。【解決手段】車体フレーム２と、車体フレームに前後輪10,13の間で懸架される内燃機関３を備え、内燃機関の車両前方側から、内燃機関の下方を通すように車両後方側に延出される排気管51Ａ〜Ｄ、52Ｌ,Ｒを備えた自動二輪車の排気ガスセンサ配置構造において、車体フレームは、左右一対で内燃機関の下部両側を通過して車体後方側に延出するボトムフレーム部25Ｌ,Ｒを備え、車両前面視で内燃機関とボトムフレーム部との間に配置された排気管52Ｌ,Ｒの上半分において、排気ガスセンサ６Ｌ,Ｒが、車両前面視で内燃機関とボトムフレーム部との間に挟まれるように配置されたことを特徴とする自動二輪車の排気ガスセンサ配置構造。【選択図】図３
2014145335.tif 000002
【特許請求の範囲】
【請求項１】
車体フレーム(２)と、同車体フレーム(２)に前後輪(10,13)の間で懸架される内燃機関(３)を備え、同内燃機関(３)の車両前方側から、同内燃機関(３)の下方を通すように車両後方側に延出される排気管(51Ａ〜Ｄ、52Ｌ,Ｒ)を備えた自動二輪車(１)の排気ガスセンサ配置構造において、
前記車体フレーム(２)は、左右一対で前記内燃機関(３)の下部両側を通過して車体後方側に延出するボトムフレーム部(25Ｌ,Ｒ)を備え、
車両前面視で前記内燃機関(３)と前記ボトムフレーム部(25Ｌ,Ｒ)との間に配置された前記排気管の(52Ｌ,Ｒ)上半分において、排気ガスセンサ(６Ｌ,Ｒ)が、車両前面視で前記内燃機関(３)と前記ボトムフレーム部(25Ｌ,Ｒ)との間に挟まれるように配置されたことを特徴とする自動二輪車の排気ガスセンサ配置構造。
【請求項２】
前記排気ガスセンサ(６Ｌ,Ｒ)の中心軸(Ｌｘ,Ｒｘ)は、前記内燃機関(３)とボトムフレーム部(25Ｌ,Ｒ)との間を指向するように車両中心鉛直線(Ｖｃ)に対して上方が車幅方向外側に傾斜して配置されたことを特徴とする請求項１に記載の自動二輪車の排気ガスセンサ配置構造。
【請求項３】
前記排気ガスセンサ(６Ｌ,Ｒ)の中心軸(Ｌｘ,Ｒｘ)が鉛直線(Ｖ)と交差する角度(θ１,θ２)が、鋭角となる側で概ね１／２直角を超えない角度に設定されたことを特徴とする請求項２に記載の自動二輪車の排気ガスセンサ配置構造。
【請求項４】
前記排気管(52Ｌ,Ｒ)が、前記内燃機関(３)の下方の左右両側をそれぞれ通過するように、複数配置され、左右両側の前記排気管(52Ｌ,Ｒ)に排気ガスセンサ(６Ｌ,Ｒ)が鉛直方向に対して傾斜して配置されたことを特徴とする請求項２または請求項３に記載の自動二輪車の排気ガスセンサ配置構造。
【請求項５】
前記内燃機関(３)の下部にはオイルパン(37)が配設され、前記排気管(52Ｌ,Ｒ)は、同オイルパン(37)と前記ボトムフレーム部(25Ｌ,Ｒ)の間に配置されており、
同オイルパン(37)は、車幅方向中心(Ｘ)に対して左右非対称で、前記内燃機関(３)の下方の左右両側を通過する前記排気管(52Ｌ,Ｒ)の間に下方に向けて突出するように形成され、前記排気ガスセンサ(６Ｌ,Ｒ)は前記オイルパン(37)との干渉を避けるように、それぞれ鉛直線(Ｖ)に対して中心軸(Ｌｘ,Ｒｘ)の傾斜角度(θ１,θ２)を異ならせて配置されたことを特徴とする請求項４に記載の自動二輪車の排気ガスセンサ配置構造。
【請求項６】
前記排気管(52Ｌ,Ｒ)の上半分の一部と前記ボトムフレーム部(25Ｌ,Ｒ)とが側面視で重なり、その重なる範囲に前記排気ガスセンサ(６Ｌ,Ｒ)のセンサ取付け部(52ｂ)が配置されたことを特徴とする請求項１ないし請求項５のいずれか一項に記載の自動二輪車の排気ガスセンサ配置構造。
【請求項７】
側面視で前記排気ガスセンサ(６Ｒ)の前記排気管(52Ｒ)からの露出部(６Ｒａ)の全体が前記ボトムフレーム(25Ｒ)で覆われるように、前記排気ガスセンサ(６Ｒ)が前記排気管(52Ｒ)に配置されたことを特徴とする請求項６に記載の自動二輪車の排気ガスセンサ配置構造。
【請求項８】
前記オイルパン(37)が前記排気ガスセンサ(６Ｌ,Ｒ)の前方で車幅方向に膨出するように形成されて、車両前面視で前記排気ガスセンサ(６Ｌ,Ｒ)が同オイルパン(37)の膨出部(37ａ,37ｂ)により覆われたことを特徴とする請求項５ないし請求項７のいずれか一項に記載の自動二輪車の排気ガスセンサ配置構造。
【発明の詳細な説明】
【技術分野】
【０００１】
本発明は、排気ガスセンサが保護される自動二輪車の排気ガスセンサ配置構造に関する。
【背景技術】
【０００２】
自動二輪車の内燃機関の下方を通過する排気管であって、内燃機関のオイルパンの後方に位置する排気管の部分の上面に排気ガスセンサを配置したものが、例えば下記特許文献１に示されている。
下記特許文献１に示されたものでは、排気ガスセンサは、車幅方向中心上にあって、４本の排気管が集合する集合部付近の比較的幅が広い部位の上面に延長方向に配置されるため、排気ガスセンサの下方が排気管によって広く保護されている。
しかしながら、車両によっては、排気管が車幅方向中心を通過するように配置できない場合や、幅広い排気管の上面に配置することができない場合があり、そのように、排気管が車両の一側方に偏在して配置される場合であっても、排気ガスセンサが保護される排気ガスセンサ配置構造が求められている。
【先行技術文献】
【特許文献】
【０００３】
【特許文献１】特許第４０５７１４５号（図２〜図５）
【発明の概要】
【発明が解決しようとする課題】
【０００４】
本発明は、上記の従来技術に鑑み、排気管が車両の側方に偏在して配置される場合であっても、排気ガスセンサが保護される自動二輪車の排気ガスセンサ配置構造を提供することを課題とする。
【課題を解決するための手段】
【０００５】
上記の課題を解決するために、請求項１に記載の発明は、車体フレームと、同車体フレームに前後輪の間で懸架される内燃機関を備え、同内燃機関の車両前方側から、同内燃機関の下方を通すように車両後方側に延出される排気管を備えた自動二輪車の排気ガスセンサ配置構造において、前記車体フレームは、左右一対で前記内燃機関の下部両側を通過して車体後方側に延出するボトムフレーム部を備え、車両前面視で前記内燃機関と前記ボトムフレーム部との間に配置された前記排気管の上半分において、排気ガスセンサが、車両前面視で前記内燃機関と前記ボトムフレーム部との間に挟まれるように配置されたことを特徴とする自動二輪車の排気ガスセンサ配置構造。
【０００６】
請求項２に記載の発明は、請求項１に記載の自動二輪車の排気ガスセンサ配置構造において、前記排気ガスセンサの中心軸は、前記内燃機関とボトムフレーム部との間を指向するように車両中心鉛直線に対して上方が車幅方向外側に傾斜して配置されたことを特徴とする。
【０００７】
請求項３に記載の発明は、請求項２に記載の自動二輪車の排気ガスセンサ配置構造において、前記排気ガスセンサの中心軸が鉛直線と交差する角度が、鋭角となる側で概ね１／２直角を超えない角度に設定されたことを特徴とする。
【０００８】
請求項４に記載の発明は、請求項２または請求項３に記載の自動二輪車の排気ガスセンサ配置構造において、前記排気管が、前記内燃機関の下方の左右両側をそれぞれ通過するように、複数配置され、左右両側の前記排気管に排気ガスセンサが鉛直方向に対して傾斜して配置されたことを特徴とする。
【０００９】
請求項５に記載の発明は、請求項４に記載の自動二輪車の排気ガスセンサ配置構造において、前記内燃機関の下部にはオイルパンが配設され、前記排気管は、同オイルパンと前記ボトムフレーム部の間に配置されており、同オイルパンは、車幅方向中心に対して左右非対称で、前記内燃機関の下方の左右両側を通過する前記排気管の間に下方に向けて突出するように形成され、前記排気ガスセンサは前記オイルパンとの干渉を避けるように、それぞれ鉛直線に対して中心軸の傾斜角度を異ならせて配置されたことを特徴とする。
【００１０】
請求項６に記載の発明は、請求項１ないし請求項５のいずれか一項に記載の自動二輪車の排気ガスセンサ配置構造において、前記排気管の上半分の一部と前記ボトムフレーム部とが側面視で重なり、その重なる範囲に前記排気ガスセンサのセンサ取付け部が配置されたことを特徴とする。
【００１１】
請求項７に記載の発明は、請求項６に記載の自動二輪車の排気ガスセンサ配置構造において、側面視で前記排気ガスセンサの前記排気管からの露出部の全体が前記ボトムフレームで覆われるように、前記排気ガスセンサが前記排気管に配置されたことを特徴とする。
【００１２】
請求項８に記載の発明は、請求項５ないし請求項７のいずれか一項に記載の自動二輪車の排気ガスセンサ配置構造において、前記オイルパンが前記排気ガスセンサの前方で車幅方向に膨出するように形成されて、車両前面視で前記排気ガスセンサが同オイルパンの膨出部により覆われたことを特徴とする。
【発明の効果】
【００１３】
請求項１の発明の自動二輪車の排気ガスセンサ配置構造によれば、排気ガスセンサが、内燃機関とボトムフレーム部との間に配置された排気管の上半分において、これらの間に挟まれるように配置されたので、下方を排気管で、両側を内燃機関およびボトムフレーム部で、近接して囲まれるため、周辺部材を利用した排気ガスセンサの保護が図れる。
【００１４】
請求項２の発明によれば、請求項１の発明の効果に加え、排気ガスセンサが、その中心軸を車両中心鉛直線から上方外側に向けて傾斜配置されたことで、車幅方向中心に配置される前後輪側から見て、排気ガスセンサが排気管により覆われる面積を大きくして、より一層の保護が図れる。また、排気ガスセンサを内燃機関から離して熱の影響を抑制できる。
【００１５】
請求項３の発明によれば、請求項１の発明の効果に加え、傾斜角度を１／２直角を超えない角度とすることで、内燃機関下方からと、車輪から来た飛散物に対して排気管による保護が確実に行なえる。
【００１６】
請求項４の発明によれば、請求項２または請求項３の発明の効果に加え、内燃機関の下方の左右両側の排気管にそれぞれ配置した排気ガスセンサを、両方とも内燃機関とボトムフレーム部により保護できる。
【００１７】
請求項５の発明によれば、請求項４の発明の効果に加え、複数の排気ガスセンサが左右非対称のオイルパンを避けるようにして配置されて、オイルパンとボトムフレーム部とで協働して排気ガスセンサを保護することができる。
【００１８】
請求項６の発明によれば、請求項１ないし請求項５のいずれか一項の発明の効果に加え、排気ガスセンサの側面をボトムフレーム部よって覆うことで、排気ガスセンサの保護を図ることができる。
【００１９】
請求項７の発明によれば、請求項６の発明の効果に加え、排気ガスセンサの露出部全体の側方をボトムフレーム部で覆うことで、排気ガスセンサを側方から保護することができる。
【００２０】
請求項８の発明によれば、請求項５ないし請求項７のいずれか一項の発明の効果に加え、オイルパンの車幅方向の膨出部により排気ガスセンサの前面を覆うように配置することで、排気ガスセンサの前方からの保護を図ることができる。
【図面の簡単な説明】
【００２１】
【図１】本発明の一実施形態に係る排気ガスセンサ配置構造を備えた自動二輪車の燃料タンク部分を切り開いた左側面図である。
【図２】図１に示される自動二輪車の左側面図である。
【図３】図１および図２中の、III−III矢視による自動二輪車の断面図であり、内燃機関３はその下部のオイルパン37のみが示され、他は図示省略されている。
【図４】図３中IV−IV矢視による、左ボトムフレーム部と、左の合流排気菅と、左の排気ガスセンサとの位置関係の説明図であり、内燃機関は、オイルパンのみが２点鎖線で示され、他は図示省略されている。
【図５】図３中V−V矢視による、右ボトムフレーム部と、右の合流排気菅と、右の排気ガスセンサとの位置関係の説明図であり、内燃機関は、オイルパンのみが２点鎖線で示され、他は図示省略されている。
【図６】図１中、VI−VI矢視による自動二輪車の中央部底面図である。
【図７】図１中、VII−VII矢視による燃料タンク等を除いた自動二輪車の中央部要部平面図であり、内燃機関は、オイルパンのみが示され、他は図示省略されている。
【発明を実施するための形態】
【００２２】
図１から図７に基づき、本発明の一実施形態に係る自動二輪車の排気ガスセンサ配置構造につき説明する。
なお、本明細書の説明および特許請求の範囲における前後左右上下等の向きは、本実施形態に係る排気ガスセンサ配置構造を自動二輪車に備えた状態での車両（自動二輪車）の向きに従うものとする。
また、図中矢印ＦＲは車両前方を、ＬＨは車両左方を、ＲＨは車両右方を、ＵＰは車両上方を、それぞれ示す。
【００２３】
図１は、本発明の一実施形態に係る排気ガスセンサ配置構造を備えた自動二輪車１の燃料タンク部分を切り開いた左側面図である。図２は、同じ自動二輪車１の右側面図である。
自動二輪車１の車体フレーム２は、ヘッドパイプ20と、ヘッドパイプ20から斜め後方に延出する左右一対のメインフレーム21と、メインフレーム21の後端から下方に延出する左右一対のセンターフレーム22と、ヘッドパイプ20とメインフレーム21を繋ぐ左右一対の補助フレーム23と、補助フレーム23から左右一対で下方に延びた後、後方に屈曲して水平方向後方に伸び、センターフレーム22の下端に繋がる左右一対のダウンフレーム24と、メインフレーム21から後方に延出する左右一対のシートステー（不図示）と、センターフレーム22の中央部とシートステーの中央を結ぶ左右一対のミッドフレーム26とを備えている。
ダウンフレーム24において、後方に屈曲して後、水平方向後方に伸び、左右一対で内燃機関３の下部両側を通過し、車体後方に延出して左右のセンターフレーム22の下端に繋がる部分を、ここで特に、ボトムフレーム部25と言う。
以上のメインフレーム21、センターフレーム22、ダウンフレーム24およびシートステーは、その左右を繋ぐ図示しないクロスメンバーを要所に備えている。
【００２４】
前輪10を支持するフロントフォーク11が、ヘッドパイプ20に操向可能に支持され、フロントフォーク11の上部にはステアリングハンドル12が連結されている。また、後輪13を支持するスイングアーム14が、センターフレーム22に、ピボットボルト15を介して上下揺動可能に支持され、シートステーとミッドフレーム26の接続部27と、リアフォーク14との間にはクッションユニット16が設けられている。
【００２５】
内燃機関３は、ダウンフレーム24とメインフレーム21とセンターフレーム22に支持され、内燃機関３の動力は、後輪駆動用チェーン17を介して後輪13に伝達される。メインフレーム21には、内燃機関３の上方に位置するようにして燃料タンク18が設けられ、シートステー上には運転者用と同乗者用のタンデム型シート19が取付けられている。
【００２６】
本実施形態において、自動二輪車１に搭載された内燃機関３は、空冷直列４気筒の４ストロークサイクル内燃機関であって、そのクランクケース30内の後部に変速機を一体に備えて、いわゆるパワーユニットを構成しており、そのクランク軸31を、自動二輪車１の車幅方向、すなわち左右方向に配向させて自動二輪車１に搭載されている。
内燃機関３は、クランクケース30の前部上方にシリンダ軸線Ｃを若干前傾させて、シリンダブロック32、シリンダヘッド33とシリンダヘッドカバー34を起立した姿勢で備え、クランクケース30の下面にはオイルパン37が締結接合され、クランクケース30の前部にはオイルフィルタ38が取付けられている。
【００２７】
内燃機関３のシリンダヘッド33から後方には、その４気筒の各気筒の吸気ポート35に、吸気系４が接続している。
シリンダヘッド33から前方には、その４気筒の各気筒の、左側から順に、排気ポート36Ａ〜36Ｄに、排気系５をなす排気管51Ａ〜51Ｄが接続して延出し、内燃機関３の下方を通すように車両後方に延出される。
【００２８】
一方、ダウンフレーム24は、左ダウンフレーム24Ｌと右ダウンフレーム24Ｒが左右一対で内燃機関３の前方に沿って後方に傾斜しながら下方に延在した後、後屈し、左ボトムフレーム部25Ｌと右ボトムフレーム部25Ｒとして、内燃機関３の下部、概ねオイルパン37の左右両側を通過して車体後方に延出する。
【００２９】
左側の２気筒に接続する排気管51Ａ、51Ｂは、それぞれ左側の排気ポート36Ａ、36Ｂから左ダウンフレーム24Ｌを挟むように、その前方へ延出して後、下方に向けて屈曲し、左ダウンフレーム23Ｌの前方に沿って下方に延在して後、内燃機関３の車両前方から、内燃機関３の下方を通るように屈曲し、内燃機関３（オイルパン37）と左ボトムフレーム部25Ｌとの間において合流し、左の合流排気菅52Ｌ（本発明の「排気管」）を形成して車両後方に延出し、後輪13の左側方に配設された左側マフラー53Ｌに接続している。（図３、図６参照）
【００３０】
右側の２気筒に接続する排気管51Ｃ、51Ｄは、それぞれ右側の排気ポート36Ｃ、36Ｄから右ダウンフレーム24Ｒを挟むように、その前方へ延出して後、下方に向けて屈曲し、右ダウンフレーム24Ｒの前方に沿って下方に延在して後、内燃機関３の車両前方から、内燃機関３の下方を通るように屈曲し、内燃機関３（オイルパン37）と右ボトムフレーム部25Ｒとの間において合流し、右の合流排気菅52Ｒ（本発明の「排気管」）を形成して車両後方に延出し、後輪13の右側方に配設された右側マフラー53Ｒに接続している。（図３、図６参照）
【００３１】
複数の排気管51Ａ〜51Ｄは、内燃機関３の下方の左右両側に分かれてそれぞれ通過するように配置されており、その左右の合流排気菅52Ｌ、52Ｒにはそれぞれ、排気ガスの諸値を検出する排気ガスセンサ６Ｌ、６Ｒが取付けられている。
排気ガスセンサ６Ｌ、６Ｒはそれぞれ、例えば、理論空燃比を境としたリーン（空気過剰）域またはリッチ（燃料過剰）域を判別するために用いられる酸素センサ、または、空燃比に比例した電流値をＥＣＵに出力するＬＡＦ（Linear Air Fuel Ratio）センサであり、排気ガスセンサ６Ｌ、６Ｒの検出結果は、図示しないＥＣＵ（Engine Control Unit）に送られ、内燃機関３の燃焼制御（フィードバック空燃比制御）に用いられる。
【００３２】
図３は、図１および図２中の、概ねIII−III矢視による自動二輪車１の断面図であり、車両前面視を示すものであるが、図３において、内燃機関３はその下部のオイルパン37のみが示され、他は図示省略されている。
【００３３】
図３に示されるように、左の排気ガスセンサ６Ｌは、左の合流排気菅52Ｌの上半分において、車両前面視で内燃機関３と左ボトムフレーム部25Ｌとの間に挟まれるように、右の排気ガスセンサ６Ｒは、右の合流排気菅52Ｒの上半分において、車両前面視で内燃機関３と右のボトムフレーム部25Ｒとの間に挟まれるように配置されている。
そして、排気ガスセンサ６Ｌ、６Ｒは、センサ本体６ａがそれぞれ合流排気菅52Ｌ、52Ｒの上壁52ａ（図４、図５参照）のセンサ取付け部52ｂを貫き、検出部６ｂが合流排気菅52Ｌ、52Ｒのそれぞれの内部に露出した状態で取付けられている。
したがって、左の排気ガスセンサ６Ｌは、下方を左の集合排気管25Ｌで、両側を内燃機関３および左のボトムフレーム部25Ｌで、近接して囲まれ、右の排気ガスセンサ６Ｒは、下方を右の集合排気管25Ｒで、両側を内燃機関３および右のボトムフレーム部25Ｒで、近接して囲まれるため、周辺部材を利用した左右の排気ガスセンサ６Ｌ、６Ｒの保護が図られている。
【００３４】
そして、左の排気ガスセンサ６Ｌの中心軸Ｌｘは、内燃機関３と左のボトムフレーム部25Ｌとの間を指向するように鉛直線Ｖに対して交差する角度θ１で上方が車幅方向外側に傾斜して配置されており、右の排気ガスセンサ６Ｒの中心軸Ｒｘは、内燃機関３と右のボトムフレーム部25Ｒとの間を指向するように鉛直線Ｖに対して交差する角度θ２で上方が車幅方向外側に傾斜して配置されている。
すなわち、左右の排気ガスセンサ６Ｌ、６Ｒの中心軸Ｌｘ、Ｒｘは、車両中心鉛直線Ｖｃに対して上方が車幅方向外側に向けて傾斜配置されている。
【００３５】
そのように、左右の排気ガスセンサ６Ｌ、６Ｒが、その中心軸Ｌｘ、Ｒｘを車両中心鉛直線Ｖｃから上方外側に向けて傾斜配置されているので、自動二輪車１の車幅方向中心Ｘに配置される前後輪10、13側（図１、２、６参照）から見て、排気ガスセンサ６Ｌ、６Ｒが合流排気菅52Ｌ、52Ｒにより覆われる面積を大きくして、より一層の保護が図れている。
また、左右の排気ガスセンサ６Ｌ、６Ｒを内燃機関から離すこととなり、気ガスセンサ６Ｌ、６Ｒに対する熱の影響を抑制できる。
【００３６】
また、本実施形態において、左右の排気ガスセンサ６Ｌ、６Ｒの中心軸Ｌｘ、Ｒｘが鉛直線Ｖと交差する鋭角となる側の傾斜角度θ１、θ２は、図示のように概ね１／２直角（４５°）を超えない角度に設定されており、内燃機関３下方からと、前輪10から来る飛散物に対して左右の排気管51Ａ、51Ｂおよび合流排気菅52ＬＲ、ならびに排気管51Ｃ、51Ｄおよび合流排気菅52Ｒによる保護が確実に行なえる。
【００３７】
以上のように複数の排気管として左右の合流排気管52Ｌ、52Ｒが、内燃機関３の下方の左右両側をそれぞれ通過するように配置され、左右両側の合流排気管52Ｌ、52Ｒにそれぞれ左右の排気ガスセンサ６Ｌ、６Ｒを、鉛直方向Ｖに対して傾斜して配置しているので、左右の排気ガスセンサ６Ｌ、６Ｒが両方とも内燃機関３とボトムフレーム部により保護される。
【００３８】
図３に示されるオイルパン37は、内燃機関３の下部に配設されたものであり、車幅方向中心Ｘに対して左右非対称で、内燃機関３の下方の左右両側を通過する左右の合流排気管52Ｌ、52Ｒの間に、下方に向けて突出するように形成され、左右の合流排気管52Ｌ、52Ｒはそれぞれ、オイルパン37と左右のボトムフレーム部25Ｌ、25Ｒとの間に配置されている。
したがって、内燃機関３の下部で下方に向けて突出するオイルパン37の左右の排気ガスセンサ６Ｌ、６Ｒは、左右非対称のオイルパン37との干渉を避けるように、それぞれ鉛直線Ｖに対する中心軸Ｌｘ、Ｒｘの傾斜角度θ１、θ２を異ならせて配置されることで、オイルパン37と左右のボトムフレーム部25Ｌ、25Ｒとが協働して左右の排気ガスセンサ６Ｌ、６Ｒを保護することが可能となっている。
【００３９】
なお、オイルパン37が、内燃機関３の下部において、車幅方向中心Ｘに対して左右対称に形成された場合も、オイルパン37は内燃機関３の下方の左右両側を通過する左右の合流排気管52Ｌ、52Ｒの間に、下方に向けて突出するように形成され、左右の合流排気管52Ｌ、52Ｒはそれぞれ、オイルパン37と左右のボトムフレーム部25Ｌ、25Ｒとの間に配置されるので、排気ガスセンサ６Ｌ、６Ｒは、左右対称のオイルパン37との干渉を避けるように、それぞれ鉛直線Ｖに対する中心軸Ｌｘ、Ｒｘの傾斜角度θ１、θ２を適宜設定すれば、オイルパン37と左右のボトムフレーム部25Ｌ、25Ｒとが協働して左右の排気ガスセンサ６Ｌ、６Ｒを保護することが可能である。
【００４０】
図３中IV−IV矢視により、左ボトムフレーム部25Ｌと、左の合流排気菅52Ｌと、左の排気ガスセンサ６Ｌとの位置関係を、図４に示す。図４において、内燃機関３は、オイルパン37のみが２点鎖線で示され、他は図示省略されている。
また、図３中V−V矢視により、右ボトムフレーム部25Ｒと、右の合流排気菅52Ｒと、右の排気ガスセンサ６Ｒとの位置関係を、図５に示す。図５においても、内燃機関３は、オイルパン37のみが２点鎖線で示され、他は図示省略されている。
【００４１】
図４、図５に示されるように、左右の合流排気管52Ｌ、52Ｒの上半分の一部と左右ボトムフレーム部25Ｌ、25Ｒとがそれぞれ側面視で重なり、その重なる範囲に左右の合流排気管52Ｌ、52Ｒにおけるそれぞれの排気ガスセンサ６Ｌ、６Ｒを取付けるセンサ取付け部52ｂが位置するようにして排気ガスセンサ６Ｌ、６Ｒがそれぞれ配置されており、排気ガスセンサ６Ｌ、６Ｒの側面をそれぞれ、左右ボトムフレーム部25Ｌ、25Ｒによって覆うことで、左右の排気ガスセンサの保護が図られている。
【００４２】
特に、図５に示されるように、右の排気ガスセンサ６Ｒの右の合流排気管52Ｒからの露出部６Ｒａの全体の側方が、側面視で右ボトムフレーム25Ｒによって覆われるように、右の排気ガスセンサ６Ｒが右の合流排気菅52Ｒに配置されたので、右の排気ガスセンサ６Ｒは、側方からより十分に保護されている。
【００４３】
図６は、図１中、VI−VI矢視による自動二輪車１の中央部底面図である。
内燃機関３の排気管51Ａ、51Ｂは、左ダウンフレーム24Ｌを挟むように、その前方へ延出して後、下方に向けて屈曲し、内燃機関３の車両前方から、内燃機関３の下方を通るように屈曲し、内燃機関３と左ボトムフレーム部25Ｌとの間において合流し、左の合流排気菅52Ｌを形成して車両後方に延出し、後輪13の左側方に配設された左側マフラー53Ｌに接続しており、排気管51Ｃ、51Ｄは、右ダウンフレーム24Ｒを挟むように、その前方へ延出して後、下方に向けて屈曲し、内燃機関３の車両前方から、内燃機関３の下方を通るように屈曲し、内燃機関３と右ボトムフレーム部25Ｒとの間において合流し、右の合流排気菅52Ｒを形成して車両後方に延出し、後輪13の右側方に配設された右側マフラー53Ｒに接続していることが、示される。
左右の排気ガスセンサ６Ｌ、６Ｒは、概ねの位置が図中破線で示される。
【００４４】
一方、左ダウンフレーム24Ｌと右ダウンフレーム24Ｒが、左右一対で内燃機関３の前方に沿って後方に傾斜しながら下方に延在した後、後屈し、左ボトムフレーム部25Ｌと右ボトムフレーム部25Ｒを形成して、内燃機関３の下部、概ねオイルパン37の左右両側を通過して車体後方に延出し、左右のセンターフレーム22の接続することが示される。
オイルパン37は、排気ガスセンサ６Ｌ、６Ｒの前方で車幅方向に膨出するように形成されて、クランクケース30の下部に取付けられている。
【００４５】
図７は、図１中、VII−VII矢視による燃料タンク18等を外した自動二輪車１の中央部要部平面図であり、各排気管51Ａ〜51Ｄ、左右の合流排気管52Ｌ、52Ｒ、メインフレーム21、左右のボトムフレーム部25Ｌ、25Ｒ、左右の排気ガスセンサ６Ｌ、６Ｒの位置関係を示し、内燃機関３は、その最下部に設けられるオイルパン37のみが示され、他は図示省略されている。
図７においても、オイルパン37が、排気ガスセンサ６Ｌ、６Ｒの前方で車幅方向に膨出するように形成されて配設されていることが示される。
【００４６】
したがって、車両前面視で、左右の排気ガスセンサ６Ｌ、６Ｒは、オイルパン37の左右の膨出部37ａ、37ｂにより前面を覆われ、オイルパン37の車幅方向の膨出部により排気ガスセンサの覆うように配設することで、左右の排気ガスセンサ６Ｌ、６Ｒの前方からの保護が図られている。
【００４７】
以上、本発明の一実施形態につき説明したが、本発明の態様が上記実施形態に限定され
ず、本発明の要旨の範囲で、多様な態様で実施されるものを含むことは勿論である。
例えば、本発明の自動二輪車は、実施形態の自動二輪車に限定されず、請求項１の要件を備える自動二輪車であればよく、内燃機関は空冷、水冷の種類、複数気筒であれば気筒数を問わない。
また、各機器の左右の配置は、説明の便宜上、図示のものに特定して記載したが、上記実施形態に示すものと左右逆となる配置のものも、本発明に含まれる。
【符号の説明】
【００４８】
１…自動二輪車、２…車体フレーム、３…内燃機関、４…吸気系、５…排気系、６Ｌ…（左の）排ガスセンサ、６Ｒ…（右の）排ガスセンサ、10…前輪、13…後輪、20…ヘッドパイプ、21…メインフレーム、22…センターフレーム、23…補助フレーム、24…ダウンフレーム、24Ｌ…左ダウンフレーム、24Ｒ…右ダウンフレーム、25…ボトムフレーム部、25Ｌ…左ボトムフレーム部、25Ｒ…右ボトムフレーム部、30…クランクケース、31…クランク軸、35…吸気ポート、36Ａ〜36Ｄ…排気ポート、37…オイルパン、37ａ…（左の）膨出部、37ｂ…（右の）膨出部、51Ａ〜51Ｄ…排気管、52Ｌ…（左の）合流排気菅（本発明の「排気管」）、52Ｒ…（右の）合流排気菅（本発明の「排気管」）、52ａ…上壁、52ｂ…センサ取付け部、Ｌｘ…左の排気ガスセンサ６Ｌの中心軸、Ｒｘ…右の排気ガスセンサ６Ｒの中心軸、Ｖ…鉛直線、Ｖｃ…車両中心鉛直線、θ１…中心軸Ｌｘの傾斜角、θ２…中心軸Ｒｘの傾斜角、Ｘ…車幅方向中心
【図１】
2014145335.tif 000003
【図２】
2014145335.tif 000004
【図３】
2014145335.tif 000005
【図４】
2014145335.tif 000006
【図５】
2014145335.tif 000007
【図６】
2014145335.tif 000008
【図７】
2014145335.tif 000009